(57)【要約】【課題】  ガラス管ヒータ用キャップに接続端子保持部を設けることにより、接続端子の鍔部を大径化することなく保持することを可能にし、それによって、接続端子の振動、位置ずれ、ガラス管との接触に起因したガラス管の損傷等を未然に防止することができるように工夫したガラス管ヒータ用キャップとガラス管ヒータと冷蔵庫を提供すること。【解決手段】  キャップ本体と、上記キャップ本体に形成されガラス管の端部が挿入されるガラス管挿入凹部と、上記ガラス管挿入凹部内に設けられ接続端子を保持する接続端子保持部とを具備したものである。【選択図】  図１
2005133993.tif 000002
【特許請求の範囲】
【請求項１】
キャップ本体と、
上記キャップ本体に形成されガラス管の端部が挿入されるガラス管挿入凹部と、
上記ガラス管挿入凹部内に設けられ接続端子を保持する接続端子保持部と、
を具備したことを特徴とするガラス管ヒータ用キャップ。
【請求項２】
請求項１記載のガラス管ヒータ用キャップにおいて、
上記接続端子保持部は、接続端子の鍔部を外周側から弾性・保持する突起から構成されていることを特徴とするガラス管ヒータ用キャップ。
【請求項３】
請求項２記載のガラス管ヒータ用キャップにおいて、
上記突起は環状に突出・形成されていることを特徴とするガラス管ヒータ用キャップ。
【請求項４】
請求項３記載のガラス管ヒータ用キャップにおいて、
上記突起は先端にいくにしたがって縮径されるように設けられていることを特徴とするガラス管ヒータ用キャップ。
【請求項５】
ガラス管と、
上記ガラス管内に収容・配置された抵抗線と、
上記抵抗線の両端に接続され鍔部を備えた接続端子と、
上記ガラス管の両端に被冠・固定される請求項１〜請求項４の何れかに記載のガラス管ヒータ用キャップと、
を具備したことを特徴とするガラス管ヒータ。
【請求項６】
請求項５記載のガラス管ヒータにおいて、
上記ガラス管は外側ガラス管と内側ガラス管とからなる二重管構造であることを特徴とするガラス管ヒータ。
【請求項７】
請求項６記載のガラス管ヒータにおいて、
上記外側ガラス管と上記内側ガラス管との間の環状空間を閉空間とし、
上記閉空間内を減圧したことを特徴とするガラス管ヒータ。
【請求項８】
冷蔵庫本体と、  
上記冷蔵庫本体内に設けられた冷凍サイクルと、
上記冷蔵庫本体内に設けられた除霜手段と、
を具備してなる冷蔵庫において、
上記除霜手段を請求項５〜請求項７の何れかに記載のガラス管ヒータとしたことを特徴とする冷蔵庫。
【発明の詳細な説明】
【技術分野】
【０００１】
本発明は、例えば、冷蔵庫において除霜手段として用いられるガラス管ヒータに使用されているガラス管ヒータ用キャップとガラス管ヒータと該ガラス管ヒータを使用した冷蔵庫に係り、特に、ガラス管ヒータ用キャップに接続端子保持部を設けることにより、接続端子の鍔部を大径化することなく保持することを可能にし、それによって、接続端子の振動、位置ずれ、ガラス管との接触に起因したガラス管の損傷等を未然に防止することができるように工夫したものに関する。
【背景技術】
【０００２】
従来、冷蔵庫や冷凍庫においては冷媒として特定フロン（ＣＦＣ５種）が使用されていた。ところが、その種の特定フロン（ＣＦＣ５種）が大気中に放出された場合にはオゾン層が破壊されることがわかり、今日では冷蔵庫や冷凍庫においても脱フロン化が叫ばれている。そこで、特定フロン（ＣＦＣ５種）に代わるものとして炭化水素（Ｒ６００ａ）、すなわち、イソブタンと称される冷媒の使用が考えられている。
【０００３】
ところで、冷蔵庫においては冷凍サイクルを構成する蒸発器の除霜を行う除霜手段としてガラス管ヒータが使用されている。このようなガラス管ヒータを使用した場合には、ガラス管ヒータの表面温度がある程度の高温になってしまう。一方、既に説明したイソブタンは可燃性ガスであり、よって、ヒータの表面温度が高くなることは好ましいことではなかった。
【０００４】
そこで、ガラス管ヒータの表面温度の上昇を防止するための各種の提案がなされている。例えば、そのような提案の一例を開示するものとして特許文献１〜特許文献６がある。
【０００５】
【特許文献１】特開２０００−３２９４４７号公報
【特許文献２】特開２００２−１９５７３５号公報
【特許文献３】特開２００３−４３６２号公報
【特許文献４】特開２００３−４３６３号公報
【特許文献５】特開２００３−７４３６号公報
【特許文献６】特開２００３−９０６７２号公報
【０００６】
上記特許文献１にはガラス管ヒータの表面温度が所定温度以上に上昇しないように温度管理する発明が開示されている。
又、特許文献２〜特許文献６には、ガラス管ヒータを構成するガラス管を二重管構造として、それによって、ガラス管ヒータの表面温度の上昇を防止することが提案されている。
【０００７】
ところが、そのような二重管構造のガラス管ヒータには次のような問題があった。
例えば、ガラス管ヒータを構成するガラス管を二重管構造とすることによりヒータの表面温度の上昇を防止する場合であるが、この場合には確かに表面温度の上昇を防止することはできるが、別の問題が生じてしまうものである。
まず、ガラス管を二重管構造にすると外側ガラス管と内側ガラス管との間の空間内の空気が熱膨張して空間内の圧力が高くなってしまい、それによって、外側ガラス管や内側ガラス管を破損させてしまうおそれがあった。
これに対しては、通気穴を形成することが考えられる。ところが、そのような通気穴を設けた場合にはそこから空間内に水が浸入してまい、それが原因して外側ガラス管や内側ガラス管を破損させてしまうおそれがあった。
又、従来提案されている二重管構造は、外側ガラス管と内側ガラス管をそれぞれ別個に独立した状態で用意し、それらを両側の端栓に組み込んでいくというものである。その為、作業性が悪く組立に困難を要してしまうという問題があった。
【０００８】
これらの問題を解決するものとして、本件特許出願人は、特願２００２−１３５０４７号を既に出願している。
尚、特願２００２−１３５０４７号は未公開である。
【０００９】
上記特願２００２−１３５０４７号に開示されているガラス管ヒータの構成を図１１に示す。図１１はガラス管ヒータの全体の構成をその一部を切り欠いて示す正面図であり、まず、二重構造をなすガラス管構造部５０１がある。このガラス管構造部５０１は、外側ガラス管５０３と、この外側ガラス管５０３の内周側に間隔を存した状態で配置された内側ガラス管５０５とから構成されている。上記外側ガラス管５０３と内側ガラス管５０５は同心状に配置されていて、その両端部は熱溶着封止されている。図中熱溶着封止部を符合５０７、５０９でそれぞれ示す。
【００１０】
上記外側ガラス管５０３と内側ガラス管５０５に関して詳しく説明すると、この場合には、外側ガラス管５０３はその内径が１２ｍｍ、外径が１５〜１６ｍｍ、厚さが１．５〜２．０ｍｍである。又、内側ガラス管５０５はその内径が８．５ｍｍ、外径が１０．５ｍｍ、厚さが１．０ｍｍである。又、外側ガラス管５０３と内側ガラス管５０５との間隔は０．５ｍｍ程度である。又、外側ガラス管５０３と内側ガラス管５０５は共に石英ガラス製である。
【００１１】
上記ガラス管構造部５０１の長手方向の略中央部には減圧穴５１１が設けられていて、この減圧穴５１１を介してガラス管構造部５０１内の環状空間５１３内を減圧し、その後、この減圧穴５１１を熱溶着封止するものである。図中熱溶着封止部を符合５１５で示す。
尚、減圧穴５１１の位置や減圧の程度は任意である。又、減圧する場合には図示しない真空ポンプや注射器をチューブ・配管類を介して減圧穴５１１に接続して吸引することにより行うものである。
【００１２】
上記ガラス管構造部５０１の内部空間５１６内には抵抗線５１７が収容・配置されている。この抵抗線５１７によって発熱するものである。上記抵抗線５１７は、この場合には、線径が０．２６〜０．４０ｍｍ、巻きピッチが０．３９〜３ｍｍ、外径が７．５ｍｍである。又、その材質は、例えば、ニッケル・クロム合金製或いは鉄・クロム・アルミ合金製とすることが考えられる。又、ヒータ容量であるが、この実施の形態の場合には８０Ｗ〜２００Ｗである。
【００１３】
上記抵抗線５１７の一端側をみてみると、ステンレス製の接続端子５１９を介してリード線５２１の導体に接続されている。又、ガラス管構造部５０１の一端側にはシリコーンゴム製のキャップ５２３が被冠・固定されている。又、上記リード線５２１としては、例えば、シリコーンゴム被覆電線或いは架橋ポリエチレン被覆電線が考えられる。
尚、抵抗線５１７の他端側も同様の構成になっている。すなわち、抵抗線５１７の他端は図示しないステンレス製の接続端子を介してリード線５２５の導体に接続されており、又、ガラス管構造部５０１の他端にはキャップ５２７が被冠・固定されている。
【００１４】
上記構成をなす二重管構造のガラス管ヒータであれば、まず、ガラス管構造部５０１の環状空間５１３内は閉空間として構成され、且つ、減圧されているので、熱膨張による圧力の上昇に起因してガラス管構造部５０１、すなわち、外側ガラス管５０３や内側ガラス管５０５が破損してしまうようなことを防止することができる。
又、環状空間５１３は完全に閉空間として構成されることになるので、外部から環状空間５１３内に水が浸入することはなく、よって、水の浸入によって外側ガラス管５０３や内側ガラス管５０５が破損してしまうようなことを防止することができる。
又、ガラス管構造部５０１は二重管構造にはなっているが、その両端部が熱溶着封止されているので、取扱上は一本のガラス管と同じである。よって、組込作業も簡単であって、外側ガラス管と内側ガラス管がそれぞれ別個に独立している場合のように組立作業に困難を要することはない、等、前述した二重管構造のガラス管ヒータの場合の不具合を解消することができる。  
【発明の開示】
【発明が解決しようとする課題】
【００１５】
上記従来の構成によると次のような問題があった。
既に説明したように、ガラス管構造部５０１は、外側ガラス管５０３と内側ガラス管５０５とからなる二重管構造をなしていて、その端部の形状は図１２に示すようになっている。すなわち、製造上の理由から、ガラス管構造部５０１の端部、すなわち、熱溶着封止部５０７がラッパ状に形成されることになる。
一方、接続端子５１９は鍔部５１９ａとかしめ板状部５１９ｂとから構成されていて、該鍔部５１９ａをガラス管構造部５０１の熱溶着封止部５０７に押し当てられる構造になっている。
その際、鍔部５１９ａの径は上記内側ガラス管５０５の内径より僅かに大きな径となっており、よって、本来であれば、ガラス管構造部５０１の端面に押し当てられて固定されることになるが、上記したように、ガラス管構造部５０１の端部の熱溶着封止部５０７がラッパ状に形成されているために、内側ガラス管５０５の内径部に入り込んだ状態になってしまい、内側ガラス管５０５の内周面に対してエッジ状に当接した状態で組立てられることになってしまう。
その結果、次のような問題が生じることになった。
まず、接続端子５１９の振動の問題である。すなわち、図１２に示すように、接続端子５１９は、完全に固定された状態にはならず、図１２中実線で示す位置と仮想線で示す位置との間で移動可能な状態にあり、よって、接続端子５１９が振動してしまって騒音が発生してしまうという問題があった。
又、接続端子５１９が傾いた状態になることも予想され、その場合には、抵抗線５１７の偏りが生じてしまう。
又、組立て時に接続端子５１９と内側ガラス管５０５の接触部分に過度の力がかかり、内側ガラス管５０５を損傷させてしまうことも心配される。
又、このような問題に対しては、接続端子５１９の鍔部５１９ａの径を大きくして、内側ガラス管５０５の内径部に入り込まないようにすることも考えられるが、それでは、接続端子５１９が大型化してしまい、別の製造上の問題が生じてしまうことになる。
尚、これは、反対側の図示しない接続端子についても同様にいえることである。
【００１６】
本発明はこのような点に基づいてなされたものでその目的とするところは、ガラス管ヒータ用キャップに接続端子保持部を設けることにより、接続端子の鍔部を大径化することなく保持することを可能にし、それによって、接続端子の振動、位置ずれ、ガラス管との接触に起因したガラス管の損傷等を未然に防止することができるように工夫したガラス管ヒータ用キャップとガラス管ヒータと冷蔵庫を提供することにある。
【課題を解決するための手段】
【００１７】
上記目的を達成するべく本願発明の請求項１によるガラス管ヒータ用キャップは、キャップ本体と、上記キャップ本体に形成されガラス管の端部が挿入されるガラス管挿入凹部と、上記ガラス管挿入凹部内に設けられ接続端子を保持する接続端子保持部と、を具備したことを特徴とするものである。
又、請求項２によるガラス管ヒータ用キャップは、請求項１記載のガラス管ヒータ用キャップにおいて、上記接続端子保持部は、接続端子の鍔部を外周側から弾性・保持する突起から構成されていることを特徴とするものである。
又、請求項３によるガラス管ヒータ用キャップは、請求項２記載のガラス管ヒータ用キャップにおいて、上記突起は環状に突出・形成されていることを特徴とするものである。
又、請求項４によるガラス管ヒータ用キャップは、請求項３記載のガラス管ヒータ用キャップにおいて、上記突起は先端にいくにしたがって縮径されるように設けられていることを特徴とするものである。
又、請求項５によるガラス管ヒータは、ガラス管と、上記ガラス管内に収容・配置された抵抗線と、上記抵抗線の両端に接続され鍔部を備えた接続端子と、上記ガラス管の両端に被冠・固定される請求項１〜請求項４の何れかに記載のガラス管ヒータ用キャップと、を具備したことを特徴とするものである。
又、請求項６によるガラス管ヒータは、請求項５記載のガラス管ヒータにおいて、上記ガラス管は外側ガラス管と内側ガラス管とからなる二重管構造であることを特徴とするものである。
又、請求項７によるガラス管ヒータは、請求項６記載のガラス管ヒータにおいて、上記外側ガラス管と上記内側ガラス管との間の環状空間を閉空間とし、上記閉空間内を減圧したことを特徴とするものである。
又、請求項８による冷蔵庫は、冷蔵庫本体と、上記冷蔵庫本体内に設けられた冷凍サイクルと、上記冷蔵庫本体内に設けられた除霜手段と、を具備してなる冷蔵庫において、上記除霜手段を請求項５〜請求項7の何れかに記載のガラス管ヒータとしたことを特徴とするものである。
【発明の効果】
【００１８】
以上詳述したように本願発明によるガラス管ヒータ用キャップによると、キャップ本体と、上記キャップ本体に形成されガラス管の端部が挿入されるガラス管挿入凹部と、上記ガラス管挿入凹部内に設けられ接続端子を保持する接続端子保持部とを具備したものであるので、接続端子を接続端子保持部によって確実に保持することが可能になり、それによって、接続端子の振動による騒音の発生を防止することができる。又、接続端子の位置ずれによる抵抗線の偏りを防止することができる。又、接続端子とガラス管の接触部分に過度の力がかかることによるガラス管の損傷を防止することができる。
又、上記接続端子保持部を接続端子の鍔部を外周側から弾性・保持する突起から構成した場合には、接続端子の鍔部を確実に保持することができる。
又、上記突起を環状に突出・形成して構成した場合には、それによって、接続端子の鍔部を確実に保持することができる。
又、上記突起を先端にいくにしたがって縮径されるように設けた場合には、接続端子の鍔部を確実に保持できると共に不用意な離脱を防止することができる。
又、請求項５はガラス管ヒータとしてクレームしたものであり、ガラス管ヒータとしては、一重タイプのガラス管、二重タイプのガラス管等に適用可能であり、何れの場合に対しても、既に述べた効果を奏することができるものである。
そして、このような構成をなすガラス管ヒータは冷蔵庫の除霜手段として好適である。
【発明を実施するための最良の形態】
【００１９】
以下、図１乃至図４を参照して本発明の第１の実施の形態を説明する。この第１の実施の形態は、一重タイプのガラス管を使用したガラス管ヒータに本願発明を適用した例を示すものである。
図１は本実施の形態によるガラス管ヒータの全体の構成を示す斜視図であり、図２は同上の構成をその一部を切り欠いて示す正面図であり、図３は図２のＩＩＩ部を拡大して示す断面図である。まず、ガラス管１がある。このガラス管１は石英ガラス製であって、その内径が８．５ｍｍ、外径が１０．５ｍｍ、厚さが１．０ｍｍである。
【００２０】
上記ガラス管１の内部空間３内には抵抗線５が収容・配置されている。この抵抗線５によって発熱するものである。上記抵抗線５は、この実施の形態の場合には、線径が０．３５ｍｍ、巻きピッチが０．３９〜３ｍｍ、外径が７．５ｍｍである。又、その材質は、例えば、ニッケル・クロム合金製或いは鉄・クロム・アルミ合金製とすることが考えられる。又、ヒータ容量であるが、この実施の形態の場合には１４０Ｗである。
【００２１】
上記抵抗線５の一端側をみてみると、ステンレス製の接続端子７を介してリード線９の導体に接続されている。又、ガラス管１の一端側にはシリコーンゴム製のガラス管ヒータ用キャップ１１が被冠・固定されている。又、上記リード線９としては、例えば、シリコーンゴム被覆電線或いは架橋ポリエチレン被覆電線が考えられる。上記接続端子７は、図２にも示すように、鍔部７ａと該鍔部７ａより後方に延長されたかしめ板状部７ｂとから構成されている。上記接続端子７は、本件特許出願人の所有による特許第２９５４３５４号に係る発明の実施品である。
尚、抵抗線５の他端側も同様の構成になっている。すなわち、抵抗線５の他端は図示しないステンレス製の接続端子（上記接続端子７と同じものである）を介してリード線１３の導体に接続されており、又、ガラス管１の他端にはガラス管ヒータ用キャップ１５が被冠・固定されている。このガラス管ヒータ用キャップ１５は上記ガラス管ヒータ用キャップ１１と同じ構成のものである。
【００２２】
上記ガラス管ヒータ用キャップ１１は、次のような構成になっている。すなわち、図３に示すように、キャップ本体２１があり、このキャップ本体２１には、上記ガラス管１の端部が挿入されるガラス管挿入凹部２３が形成されている。又、このガラス管挿入凹部２３に連続するようにリード線９が貫通・配置される貫通孔２５が段付部２７を介して形成されている。
【００２３】
上記断付部２７には、接続端子７の鍔部７ａを弾性・保持するための環状突起２９がガラス管１方向に向けて突出・形成されている。この実施の形態においては、上記環状突起２９の突起高さは２ｍｍである。上記環状突起２９はガラス管１方向に向ってその内径を絞るように突出・形成されている。そして、ガラス管１の端部はガラス管挿入凹部２３の内壁と上記環状突起２９との間に弾性・挟持されるようにして保持される。又、接続端子７は、その鍔部７ａが上記環状突起２９の内周側に嵌合することになり、そこに弾性・保持されることになる。すなわち、上記鍔部７ａのリード線９側の端面は上記断付部２７に当接し、その状態で上記環状突起２９によって弾性・保持されることになる。
【００２４】
上記構成をなすガラス管ヒータは、例えば、図４に示すように、冷蔵庫の除霜手段として使用される。すなわち、冷蔵庫の冷蔵庫本体３１内には冷凍サイクル３３が内装されている。この冷凍サイクル３３は、圧縮機３５と、凝縮器３７と、減圧機構３９と、蒸発器４１と、ファン４３等から構成されている。そして、上記蒸発器４１における除霜を行うために、既に説明したガラス管ヒータを使用するものである。
【００２５】
次に、組立の手順であるが、上記ガラス管１の内部空間３内に抵抗線５を挿入する。次に、抵抗線５の両端に接続端子７、７を介してリード線９、１３を接続する。そして、キャップ１１、１５を被冠・固定するものである。それによって、図１に示すようなガラス管ヒータを得ることができるものである。
尚、ガラス管１の表面に脱臭触媒を塗布することが考えられる。
【００２６】
以上本実施の形態によると次のような効果を奏することができる。
まず、接続端子７を安定的に保持することが可能になった。すなわち、接続端子７の鍔部７ａ を環状突起２９の内周側に引き込む(或いは、押し込む)ことにより、該鍔部７ａを断付部２７と環状突起２９とによって弾性・保持することが可能になり、それによって、鍔部７ａひいては接続端子７を安定的に保持することが可能になったものである。
接続端子７の安定的な保持が可能になったことにより、接続端子７の振動、それによる騒音の発生を防止することができる。
又、接続端子７を中心位置に安定・保持できるので、抵抗線５の偏りも確実に防止されることになる。
又、接続端子７はガラス管１とは直接接触しないので、組立て時に接続端子７とガラス管１の接触部分に過度の力がかかり、ガラス管１を損傷させてしまうようなことを防止することができる。
又、環状突起２９はガラス管１方向に向ってその内径を絞るように構成されているので、接続端子７の鍔部７ａの保持が確実なものとなり、鍔部７ａひいては接続端子７の不用意な離脱を確実に防止することができる。
【００２７】
次に、図５乃至図７を参照して、本発明の第２の実施の形態を説明する。この第２の実施の形態の場合には、ガラス管を二重構造とし、そこに本願発明を適用した例を示すものである。
図５はこの第２の実施の形態によるガラス管ヒータの全体の構成を示す斜視図であり、図６は同上の構成をその一部を切り欠いて示す正面図であり、図７は図６のＶＩＩ部を拡大して示す断面図である。まず、二重構造をなすガラス管構造部１０１がある。このガラス管構造部１０１は、外側ガラス管１０３と、この外側ガラス管１０３の内周側に間隔を存した状態で配置された内側ガラス管１０５とから構成されている。上記外側ガラス管１０３と内側ガラス管１０５は同心状に配置されていて、その両端部は熱溶着封止されている。図中熱溶着封止部を符合１０７、１０９でそれぞれ示す。
【００２８】
上記外側ガラス管１０３と内側ガラス管１０５に関して詳しく説明すると、この実施の形態の場合には、外側ガラス管１０３はその内径が１７ｍｍ、外径が２０ｍｍ、厚さが１．５ｍｍである。又、内側ガラス管１０５はその内径が８．３ｍｍ、外径が１０．５ｍｍ、厚さが１．１ｍｍである。又、外側ガラス管１０３と内側ガラス管１０５との間隔は３．２５ｍｍ程度である。又、外側ガラス管１０３と内側ガラス管１０５は共に石英ガラス製である。
【００２９】
上記ガラス管構造部１０１の長手方向の右隅には減圧穴１１１が設けられていて、この減圧穴１１１を介してガラス管構造部１０１内の環状空間１１３内を減圧し、その後、この減圧穴１１１を熱溶着封止するものである。すなわち、外側ガラス管１０３と内側ガラス管１０５を二重に重ねた状態とし、その状態で両端を熱溶着封止する。次に、減圧穴１１１に、例えば、チューブを介して真空ポンプを接続して環状空間１１３内を吸引して減圧する。減圧作業を終了した後減圧穴１１１を熱溶着封止することになる。図中熱溶着封止部を符合１１５で示す。
又、減圧穴１１１の位置や減圧の程度は任意である。又、減圧する場合には図示しない真空ポンプや注射器をチューブ・配管類を介して減圧穴１１１に接続して吸引することにより行うものである。
尚、その他の構成は前記第１の実施の形態の場合と同じであり、同一部分には同一符号を付して示しその説明は省略する。      
【００３０】
したがって、このような二重管構造のガラス管の場合にも、前記第１の実施の形態の場合と同様の効果を奏することができるものである。
又、二重管構造のガラス管構造部１０１を採用していることによって、次のような効果を奏することができる。
まず、ガラス管構造部１０１の環状空間１１３内は閉空間として構成され、且つ、減圧されているので、熱膨張による圧力の上昇に起因してガラス管構造部１０１、すなわち、外側ガラス管１０３や内側ガラス管１０５が破損してしまうようなことを防止することができる。
又、環状空間１１３は完全に閉空間として構成されることになるので、外部から環状空間１１３内に水が浸入することはなく、よって、水の浸入によって外側ガラス管１０３や内側ガラス管１０５が破損してしまうようなことを防止することができる。
又、ガラス管構造部１０１は二重管構造にはなっているが、その両端部が熱溶着封止されているので、取扱上は一本のガラス管と同じである。よって、組込作業も簡単であって、外側ガラス管と内側ガラス管がそれぞれ別個に独立している場合のように組立作業に困難を要することはない。
【００３１】
次に、図８及び図９を参照して本発明の第３の実施の形態を説明する。この第３の実施の形態の場合には、前記第２の実施の形態の場合と同様に、二重管構造のガラス管に本願発明を適用した例を示すものであり、その際、ガラス管構造部１０１の端部、すなわち、熱溶着封止部１０７をラッパ形状にしたものである。すなわち、図８、図９に示すように、内側ガラス管１０５の端部の熱溶着部１０７がリード線９方向に向って徐々に拡径されていくようにラッパ状に形成されているものである。
【００３２】
又、それに応じて、環状突起２９の形状も若干変更されていて、ガラス管構造部１の端部の形状に沿うように形成されているものである。
その他の構成は前記第２の実施の形態の場合とおなじであり、同一部分には同一符号を付して示しその説明は省略する。
【００３３】
したがって、このような二重管構造のガラス管の場合にも、前記第１及び第２の実施の形態の場合と同様の効果を奏することができるものである。
【００３４】
次に、図１０を参照して本発明の第４の実施の形態を説明する。この実施の形態の場合には、前記第２の実施の形態による構成において、ガラス管ヒータ用キャップ１１のキャップ本体２１に水抜き孔２０１を設けたものである。その他の構成は前記第２の実施の形態の場合と同じであり、同一部分には同一符号を付して示しその説明は省略する。
【００３５】
したがって、このような二重管構造のガラス管の場合にも、前記第１〜第３の実施の形態の場合と同様の効果を奏することができるものである。
又、水抜き孔２０１を設けたことにより、内部空間１１３に侵入した水を排出することができると共に、加熱により膨張した空気を抜いてガラス管構造部１０１の破壊を防止することができる。
【００３６】
尚、本発明は前記第１〜第４の実施の形態に限定されるものではない。
まず、二重管構造にする場合において、外側ガラス管や内側ガラス管の厚み、環状空間の大きさ、減圧の程度等については任意に設定すればよい。
又、冷蔵庫の蒸発器の除霜を例に挙げて説明したがその他の用途も考えられる。
その他、図示した構成はあくまで一例であって様々な変形が想定される。
【産業上の利用可能性】
【００３７】
本発明は、ガラス管ヒータに使用されているガラス管ヒータ用キャップの構成を改良したものであり、ガラス管ヒータ用キャップに接続端子保持部を設けることにより、接続端子の鍔部を大径化することなく保持することを可能にし、それによって、接続端子の振動、位置ずれ、ガラス管との接触に起因したガラス管の損傷等を未然に防止することができるように工夫したものである。そして、冷蔵庫の除霜用のガラス管ヒータのキャップとして好適である。
【図面の簡単な説明】
【００３８】
【図１】本発明の第１の実施の形態を示す図で、ガラス管ヒータの構成を示す斜視図である。
【図２】本発明の第１の実施の形態を示す図で、ガラス管ヒータの構成を一部切り欠いて示す正面図である。
【図３】本発明の第１の実施の形態を示す図で、図２のＩＩＩ部を拡大して示す断面図である。
【図４】本発明の第１の実施の形態を示す図で、ガラス管ヒータを冷蔵庫に組み込んだ構成を模式的に示す図である。
【図５】本発明の第２の実施の形態を示す図で、ガラス管ヒータの構成を示す斜視図である。
【図６】本発明の第２の実施の形態を示す図で、ガラス管ヒータの構成を一部切り欠いて示す正面図である。
【図７】本発明の第２の実施の形態を示す図で、図６のＶＩＩ部を拡大して示す断面図である。
【図８】本発明の第３の実施の形態を示す図で、ガラス管ヒータの構成を一部切り欠いて示す正面図である。
【図９】本発明の第３の実施の形態を示す図で、図８のＩＸ部を拡大して示す断面図である。
【図１０】本発明の第４の実施の形態を示す図で、ガラス管ヒータの端部の構成を示す断面図である。
【図１１】従来例を示す図で、ガラス管ヒータの構成を一部切り欠いて示す正面図である。
【図１２】従来例を示す図で、ガラス管ヒータの端部の構成を示す断面図である。
【符号の説明】
【００３９】
１  ガラス管
３  内部空間
５  抵抗線
７  接続端子
７ａ  接続端子の鍔部
７ｂ  接続端子のかしめ板状部
９  リード線
１１  ガラス管ヒータ用キャップ
１３  リード線
１５  ガラス管ヒータ用キャップ
２１  キャップ本体
２３  ガラス管挿入凹部
２５  貫通孔
２７  断付部
２９  環状突起
１０１  ガラス管構造部
１０３  外側ガラス管
１０５  内側ガラス管
１０７  熱溶着封止部
１０９  熱溶着封止部
１１１  吸引口
１１５  封止部
２０１  水抜き孔
【図１】
2005133993.tif 000003
【図２】
2005133993.tif 000004
【図３】
2005133993.tif 000005
【図４】
2005133993.tif 000006
【図５】
2005133993.tif 000007
【図６】
2005133993.tif 000008
【図７】
2005133993.tif 000009
【図８】
2005133993.tif 000010
【図９】
2005133993.tif 000011
【図１０】
2005133993.tif 000012
【図１１】
2005133993.tif 000013
【図１２】
2005133993.tif 000014